(57)【特許請求の範囲】
【請求項１】
建物バルコニーまたはテラスに、複数の棒状部材を並べて配置してなるすだれ状部材が取り付けられたすだれ状部材の取り付け構造であって、
前記棒状部材の少なくとも表面が保水可能な多孔質材で形成されており、
前記バルコニーまたはテラスに複数の吊り下げ部材が設けられ、
これらの吊り下げ部材それぞれに前記すだれ状部材が吊り下げられており、
前記複数の棒状部材が上下に向けて配置され、
前記複数の棒状部材の各々は、複数の筒体から構成され、
これら複数の筒体の内部の孔を挿通部材が挿通して、前記複数の筒体が縦方向に繋がれ、
前記吊り下げ部材に、前記棒状部材の上端から延設している前記挿通部材が取り付けられ、
前記棒状部材の下端が自由端であり、
前記複数の筒体の内部の孔は、最下部以外の筒体の孔が、最下部の筒体の孔より大きく設定され、前記最下部の筒体の最下部には、前記孔と繋がり前記挿通部材を収納し外部から見えなくする凹部が設けられている、
ことを特徴とするすだれ状部材の取り付け構造。
【請求項２】
請求項１に記載のすだれ状部材の取り付け構造において、
前記バルコニー上の屋根の下面またはテラス上の屋根の下面にレールが設けられ、
このレールに、前記吊り下げ部材が取り付けられている、
ことを特徴とするすだれ状部材の取り付け構造。
【発明の詳細な説明】
【技術分野】
【０００１】
本発明は、すだれ状部材の取り付け構造に関する。
【背景技術】
【０００２】
従来、建物開口部にスライド式雨戸またはシャッター式雨戸が設けられ、これらスライド式雨戸またはシャッター式雨戸の建物開口部の外側上部にすだれを取り付ける引っ掛け具を取り付けることが提案されていた。引っ掛け具にすだれを引っ掛けることにより、雨戸の不使用時に、光を遮断し、且つ、通風を確保していた。
【０００３】
特許文献１は、建物開口部の外側上部に設けられた雨戸収納部材に取付けられるすだれ用の引っ掛け具であって、連結部を介して一片と他片が開閉自在であって、これら一片と他片の裏面には粘着層が設けられ、上記一片には、外側に向けて突出された掛止部を形成すると共に、この一片の上端には、内側に向けて突設した係止部を形成したことを特徴とするすだれ用の引っ掛け具を開示する。
【先行技術文献】
【特許文献】
【０００４】
【特許文献１】特開２００６−１６７４３８号公報
【発明の概要】
【発明が解決しようとする課題】
【０００５】
ところで、バルコニーまたはテラスといった建物の外部空間において、すだれを取り付ける構造は、提案されていなかった。また、熱容量のあるオーニングなどは受熱によりそれ自身の温度が気温より高くなり、熱容量の小さい竹などは風がある場合にはそれ自身の温度が気温相当になるが気温より低くなることはない。
【０００６】
本発明は、バルコニーまたはテラスといった建物の外部空間において水の気化熱を利用して複数本の棒状部材を並べて配置してなるすだれ状部材を冷却して気温の低下を図るとともに、バルコニーまたはテラスに前記すだれ状部材が取り付けられたすだれ状部材の取り付け構造を提供することを目的とする。
【課題を解決するための手段】
【０００７】
上記課題を解決するために、請求項１に記載のすだれ状部材３０Ａ〜３０Ｄの取り付け構造に係る発明は、例えば、図１〜図１０に示すように、
建物１００のバルコニー１０またはテラス２０に、複数の棒状部材３０ａ〜３０ｄを並べて配置してなるすだれ状部材３０Ａ〜３０Ｄが取り付けられたすだれ状部材３０Ａ〜３０Ｄの取り付け構造であって、
前記棒状部材３０ａ〜３０ｄの少なくとも表面が保水可能な多孔質材で形成されており、
前記バルコニー１０またはテラス２０に吊り下げ部材４０，４１，４２が設けられ、
この吊り下げ部材４０，４１，４２に前記すだれ状部材３０Ａ〜３０Ｄが吊り下げられており、
前記複数の棒状部材３０ａ，３０ｂ，３０ｄが上下に向けて配置され、
前記複数の棒状部材３０ａ，３０ｂ，３０ｄの各々は、複数の筒体３１から構成され、
これら複数の筒体３１の内部の孔を挿通部材６０ａ，６０ｂ，６０ｄが挿通して、
前記複数の筒体３１が縦方向に繋がれ、
前記吊り下げ部材４０，４２に、前記棒状部材３０ａ，３０ｂ，３０ｄの上端から延設している前記挿通部材６０ａ，６０ｂ，６０ｄが取り付けられ、
前記棒状部材３０ａ，３０ｂ，３０ｄの下端が自由端であり、
前記複数の筒体３１の内部の孔は、最下部以外の筒体３１の孔が、最下部の筒体３１ａの孔より大きく設定され、前記最下部の筒体３１ａの最下部には、前記孔と繋がり前記挿通部材６０ａ，６０ｂ，６０ｄを収納し外部から見えなくする凹部３１ｂが設けられている、
ことを特徴とする。
【０００８】
請求項１に記載の発明によれば、前記棒状部材３０ａ〜３０ｄの少なくとも表面が保水可能な多孔質材で形成されているので、前記棒状部材３０ａ〜３０ｄに水分を含ませることによりバルコニー１０またはテラス２０といった建物の外部空間において水の気化熱を利用してすだれ状部材３０Ａ〜３０Ｄを冷却して気温の低下を図るとともに、前記バルコニー１０またはテラス２０に吊り下げ部材４０，４１，４２が設けられているので、吊り下げ部材４０，４１，４２に前記すだれ状部材３０Ａ〜３０Ｄが取り付けられたすだれ状部材の取り付け構造を提供することができる。
また、前記棒状部材３０ａ，３０ｂ，３０ｄが複数の筒体３１を縦方向に有し、前記棒状部材３０ａ，３０ｂ，３０ｄの下端が自由端であることにより、風に揺れやすくなる。その結果、隣り合う棒状部材が接触し合うことにより、音を生じさせることができる。
さらに、すだれ状部材３０Ａ（３０Ｂ）の全体について軽量化することができ、さらにまた、最下部の筒体３１ａの最下部から挿通部材６０ａ，６０ｂ，６０ｄを見えなくして体裁をよくすることができる。
【００１５】
請求項２に記載の発明は、例えば、図１、図５、図８、図１０に示すように、
請求項１に記載のすだれ状部材３０Ａ〜３０Ｄの取り付け構造において、
前記バルコニー１０上の屋根１１の下面またはテラス２０上の屋根２１の下面にレール５０，５１が設けられ、
このレール５０，５１に、前記吊り下げ部材４０，４１，４２が取り付けられている、
ことを特徴とする。
【００１６】
請求項２に記載の発明によれば、レール５０，５１に、前記吊り下げ部材４０，４１，４２が取り付けられているため、この吊り下げ部材４０，４１，４２をレール５０，５１に沿って移動させることにより、複数の棒状部材をレール５０，５１に沿って移動できる。
【発明の効果】
【００１７】
本発明によれば、前記棒状部材３０ａ〜３０ｄが保水可能な多孔質材で表面が形成されているので、前記棒状部材３０ａ〜３０ｄに水分を含ませることによりバルコニー１０またはテラス２０といった建物の外部空間において水の気化熱を利用してすだれ状部材３０Ａ〜３０Ｄを冷却して気温の低下を図るとともに、前記バルコニー１０またはテラス２０に吊り下げ部材４０，４１が設けられているので、吊り下げ部材４０，４１，４２に前記すだれ状部材３０Ａ〜３０Ｄが取り付けられたすだれ状部材の取り付け構造を提供することができる。
また、前記棒状部材３０ａ，３０ｂ，３０ｄが複数の筒体３１を縦方向に有し、前記棒状部材３０ａ，３０ｂ，３０ｄの下端が自由端であることにより、風に揺れやすくなる。その結果、隣り合う棒状部材が接触し合うことにより、音を生じさせることができる。
さらに、すだれ状部材３０Ａ（３０Ｂ）の全体について軽量化することができ、さらにまた、最下部の筒体３１ａの最下部から挿通部材６０ａ，６０ｂ，６０ｄを見えなくして体裁をよくすることができる。
【図面の簡単な説明】
【００１８】
【図１】本発明に係るすだれ状部材の取り付け構造の一例を示す図であり、建物のバルコニーとテラスにすだれ状部材を取り付けた例を示す斜視図である。
【図２】同、建物の左側面図である。
【図３】同、建物の右側面図である。
【図４】同、建物の平面図である。
【図５】同、図４のＩ−Ｉ断面図である。
【図６】同、（ａ）は屋根の下面に取り付けるすだれ状部材とレールと吊り金具とを示す図、（ｂ）は吊り下げ部材同士の連結部分を示す図、（ｃ）は図６（ｂ）のＩ−Ｉ断面図、（ｄ）は図６（ｂ）のＩＩ−ＩＩ断面図である。
【図７】棒状部材が、複数の筒体から構成されている例を示す図である。
【図８】すだれ状部材の取り付け構造の参考例を示す図であり、水平方向に長手が向けられている複数の棒状部材が上下に配置されたすだれ状部材の取り付け構造の一例を示す図である。
【図９】同、（ａ）は屋根の下面に取り付けるすだれ状部材とレールと吊り金具とを示す図、（ｂ）は図９（ａ）のＩ−Ｉ断面図、（ｃ）は図９（ａ）のＡ部拡大図である。
【図１０】本発明に係るすだれ状部材の取り付け構造の一例を示す図であり、（ａ）鉛直方向に長手が向けられている複数の棒状部材が水平方向に並んで配置されたすだれ状部材の取り付け構造の一例を示す図であり、（ｂ）は図１０（ａ）のＩ−Ｉ断面図、（ｃ）は図１０（ａ）のＩＩ−ＩＩ断面図、（ｄ）は図１０（ａ）のＩＩＩ−ＩＩＩ断面図である。
【発明を実施するための形態】
【００１９】
以下、図面を参照して本発明の実施の形態について説明する。
【００２０】
＜実施の形態１＞
図１〜図３において、正面視において建物１００のバルコニー１０の屋根１１の左側と右側に、縦型のすだれ状部材３０Ａが取り付けられ、正面視において建物１００のテラス２０の右側に、縦型のすだれ状部材３０Ｂが取り付けられている。すだれ状部材３０Ａは、上下に向けた複数の棒状部材３０ａを水平方向に並べて配置してなる縦型のすだれ状部材であり、すだれ状部材３０Ｂは、上下に向けた複数の棒状部材３０ｂを水平方向に並べて配置してなる縦型のすだれ状部材である。すだれ状部材３０Ａとすだれ状部材３０Ｂにおいて、棒状部材３０ｂが棒状部材３０ａより長い点で異なり、他の構造については同じである。
【００２１】
前記棒状部材３０ａ，３０ｂは多孔質セラミック等の保水可能な多孔質材で表面が形成されている。多孔質セラミックを用いた場合、潅水後１〜２分で表面温度が低下し、夏の晴天時に、気温が潅水前より−５〜−８℃低下した。また、すだれ状部材３０Ａ、３０Ｂを流れる水も同様に冷えた冷水となり、すだれ状部材３０Ａ、３０Ｂから落下し床面を冷却することもできる。また、この冷水を建物周辺への打ち水として使うことで、打ち水の効果を高めることができる。
【００２２】
前記バルコニー１０の屋根１１の下面およびテラス２０の屋根２１の下面の各々に、断面略コ字型のレール５０がビス止めにより取り付けられ、このレール５０に吊り下げ部材４０がビス止めにより取り付けられ、この吊り下げ部材４０に前記すだれ状部材３０Ａ、３０Ｂが吊り下げられている。前記すだれ状部材３０Ａ、３０Ｂは、屋外に設置され、１０〜１５ｋｇ／ｍ２と重いため、レール５０と吊り下げ部材４０とにアルミまたはステンレス等の錆びにくい金属を採用するのが望ましい。
【００２３】
レール５０は、アルミ製の断面略コ字型のレールであり、屋根１１，２１の下面にレール５０のレール溝５４が下方に向けられて取り付けられ、このレール溝５４の両側に、レール５０の側壁の下端から内側に延出している帯片５０ａ，５０ａを有する。レール５０は、正面視において建物１００のバルコニー１０の屋根１１の外周部を形成している枠体の左側と右側の各々の下面、および、正面視において建物１００のテラス２０の屋根２１の外周部を形成している枠体の右側の下面に取り付けられている。この枠体および枠体の下面はアルミで形成され、枠体の下面は水平な平面で形成されている。
【００２４】
吊り下げ部材４０は、アルミ製の断面略コ字型のレールであり、レール５０の下に吊り下げ部材４０のレール溝４４が下方に向けられて取り付けられ、このレール溝４４の両側に、レール５０の側壁の下端から内側に延出している帯片４０ａ，４０ａを有する。
【００２５】
前記レール５０の帯片５０ａ，５０ａの上面に、ネジ孔を有するプレート４５ａが載せられて、このプレート４５ａと前記帯片５０ａを挟むように吊り下げ部材４０が前記帯片５０ａの下面に配置されている。吊り下げ部材４０に設けられた孔からビス４５ｃがプレート４５ａのネジ孔にねじ込まれ、レール５０内のプレート４５ａと吊り下げ部材４０とでレール５０の帯片５０ａを挟んだ状態で、前記レール５０に吊り下げ部材４０が吊られる。ビス４５ｃがねじ込まれ、プレート４５ａの下面と帯片５０ａ，５０ａの上面が当接し、かつ、吊り下げ部材４０の上面と帯片５０ａ，５０ａの下面が当接した状態で、レール５０に吊り下げ部材４０が固定される。ビス４５ｃをプレート４５ａの孔から外れない程度に緩めると、固定状態が解除されて吊り下げ部材４０とレール５０内のプレート４５ａとをレール５０の長手方向に沿って移動できる。なお、プレート４５ａはレール５０の端部から挿入され、ビス４５ｃと吊り下げ部材４０との間には座金４５ｂが挿入されている。
【００２６】
図６、図７に示すように、前記複数の棒状部材３０ａ（３０ｂ）の各々は、上下に向けて配置され、複数の筒体３１が縦方向に挿通部材６０ａ（６０ｂ）で繋がれている筒状の棒状部材３０ａ（３０ｂ）であり、前記筒状の棒状部材３０ａ（３０ｂ）の内部の孔を挿通部材６０ａ（６０ｂ）が挿通し、前記吊り下げ部材４０に、前記筒状の棒状部材３０ａ（３０ｂ）の上端部から延設している前記挿通部材６０ａ（６０ｂ）が取り付けられている。前記棒状部材３０ａ（３０ｂ）の下端は自由端である。前記挿通部材６０ａ（６０ｂ）として、ステンレスワイヤー、てぐす等を用いることができる。
【００２７】
また、前記吊り下げ部材４０に設けられた孔に、前記挿通部材６０ａ（６０ｂ）が挿通され、前記吊り下げ部材４０の孔から突出した前記挿通部材６０ａ（６０ｂ）の上端部に前記吊り下げ部材４０の孔より大きな結び目を設け若しくは前記上端部を金具でかしめることで前記吊り下げ部材４０の孔から抜けないようにして取り付けられ、棒状部材３０ａ（３０ｂ）が吊り下げられている。棒状部材３０ａ（３０ｂ）の最下部の筒体３１ａには、前記挿通部材６０ａ（６０ｂ）の径より大きな孔が設けられていて、前記挿通部材６０ａ（６０ｂ）の下端部に前記筒体３１ａの孔より大きな結び目を設け若しくは前記上端部と同様に金具でかしめることで前記筒体３１ａの孔から抜けないようにして取り付けられている。筒体３１ａの最下部には、前記孔と繋がる凹部３１ｂが設けられ、この凹部３１ｂに前記挿通部材６０ａ（６０ｂ）の結び目が収納され、この結び目が外部から見えないようになっている。他の複数の筒体３１の孔は、最下部の筒体３１ａの孔より大きく設定されている。これにより、すだれ状部材３０Ａ（３０Ｂ）の全体について軽量化することができる。
【００２８】
本実施の形態によれば、前記棒状部材３０ａ，３０ｂは保水可能な多孔質材で表面が形成されているので、前記棒状部材３０ａ，３０ｂに水分を含ませることによりバルコニー１０およびテラス２０といった建物の外部空間において水の気化熱を利用してすだれ状部材３０Ａ，３０Ｂを冷却して気温の低下を図るとともに、前記バルコニー１０およびテラス２０に吊り下げ部材４０が設けられているので、吊り下げ部材４０にバルコニー１０およびテラス２０に前記すだれ状部材３０Ａ，３０Ｂが取り付けられたすだれ状部材の取り付け構造を提供することができる。
【００２９】
また、前記複数の棒状部材３０ａ，３０ｂの各々が筒状であるため、棒状部材３０ａ，３０ｂの表面積が広がることにより棒状部材３０ａ，３０ｂ全体において吸水率が向上して、保水力を高めることができる。また、前記複数の棒状部材３０ａ，３０ｂの各々が筒状であるため、棒状部材３０ａ，３０ｂ内部を挿通部材が挿通することにより、棒状部材３０ａ〜３０ｄから延設している挿通部材を吊り下げ部材に取り付けることが可能になる。
【００３０】
また、前記棒状部材３０ａ，３０ｂが複数の筒体３１を縦方向に有し、前記棒状部材３０ａ，３０ｂの下端が自由端であることにより、風に揺れやすくなる。その結果、隣り合う棒状部材が接触し合うことにより、音を生じさせることができる。
【００３１】
また、レール５０に、前記吊り下げ部材４０が固定状態を解除可能に取り付けられているため、固定状態を解除して複数の棒状部材をレール５０に沿って移動できる。
【００３２】
＜参考例＞
上記実施の形態１においては、縦型のすだれ状部材３０Ａ、３０Ｂについて説明した。
本参考例においては、横型のすだれ状部材３０Ｃの取り付け構造について説明する。
なお、上記実施の形態１において説明した部材と同じ部材には、同じ符号を付して説明を省略する。
【００３３】
図８、図９において、建物１００のバルコニー１０の屋根１１に、縦型のすだれ状部材３０Ａの代わりに、横型のすだれ状部材３０Ｃが取り付けられている例について説明する。すだれ状部材３０Ｃは、水平方向に向けた複数の棒状部材３０ａを上下に並べて配置してなる横型のすだれ状部材である。なお、横型のすだれ状部材３０Ｃをテラス２０の屋根２１の下面に取り付けることも可能である。前記すだれ状部材３０Ｃは、屋外に設置され、１０〜１５ｋｇ／ｍ２と重いため、レール５０と吊り下げ部材４１とにアルミまたはステンレス等の錆びにくい金属を採用するのが望ましい。
【００３４】
前記棒状部材３０ｃは多孔質セラミック等の保水可能な多孔質材で表面が形成されている。多孔質セラミックを用いた場合、潅水後１〜２分で表面温度が低下し、夏の晴天時に、気温が潅水前より−５〜−８℃低下した。また、すだれ状部材３０Ｃを流れる水も同様に冷えた冷水となり、すだれ状部材３０Ｃから落下し床面を冷却することもできる。
【００３５】
前記バルコニー１０の屋根１１の下面に、アルミ製のレール５０がビス止めにより取り付けられ、このレール５０に、吊り金具４１ｂが取り付けられ、この吊り金具４１ｂにカナビラ４１ａが取り付けられている。吊り金具４１ｂとカナビラ４１ａとが、吊り下げ部材４１に相当する。この吊り下げ部材４１に前記すだれ状部材３０Ｃが吊り下げられている。
【００３６】
図８、図９に示すように、前記複数の棒状部材３０ｃの各々は、水平方向に向けて配置され、複数の筒体３１が水平方向に挿通部材６０ｃで繋がれている筒状の棒状部材３０ｃであり、前記筒状の棒状部材３０ｃの内部を挿通部材６０ｃが挿通している。前記挿通部材６０ｃとして、アルミ製のパイプ等を用いることができる。前記複数の筒体３１にパイプを挿通することにより棒状部材３０ｃとすることができる。また、パイプに複数の孔を設けることにより、すだれ状部材３０Ｃを軽量化することができる。
【００３７】
前記複数の棒状部材３０ｃが水平に向けて配置され、前記すだれ状部材３０Ｃは、前記複数の棒状部材３０ｃの両端から延設している前記挿通部材６０ｃの両端部をそれぞれ線状材４３で上下方向に包むように編むことにより前記複数の挿通部材６０ｃが上下に連結されて構成され、カナビラ４１ａに、前記線状体４３の上部が着脱可能に取り付けられている。カナビラ４１ａは、環状に形成されており、開閉部４１ａ１を内側に移動させた状態で、カナビラ４１ａを吊り金具４１ｂから取り外すことができ、また、開閉部４１ａ１を内側に移動させた状態で、線状体４３の上部をカナビラ４１ａから取り外すことで、吊り下げ部材４１からすだれ状部材３０Ｃを取り外すことができる。なお、複数の挿通部材６０ｃの両端部に上下方向に孔が開けられ、これらの孔に線状材４３が上下方向に挿通されて、前記複数の挿通部材６０ｃが上下に連結されていてもよい。
【００３８】
また、前記レール５０の帯片５０ａ，５０ａの上面に、ネジ孔を有するプレート４５ａが載せられて、このプレート４５ａと前記帯片５０ａを挟むように吊り下げ金具４１ｂが前記帯片５０ａの下面に配置されている。吊り下げ金具４１ｂに設けられた孔からビス４５ｃがプレート４５ａのネジ孔にねじ込まれ、プレート４５ａと吊り下げ金具４１ｂとでレール５０の帯片５０ａを挟んだ状態で、前記レール５０に吊り下げ金具４１ｂが固定される。ビス４５ｃをプレート４５ａの孔から外れない程度に緩めると、固定状態が解除されて吊り下げ部材４１とプレート４５ａとをレール５０の長手方向に沿って移動できる。なお、プレート４５ａはレール５０の端部から挿入されている。
【００３９】
本参考例によれば、前記棒状部材３０ｃは保水可能な多孔質材で表面が形成されているので、前記棒状部材３０ｃに水分を含ませることによりバルコニー１０またはテラス２０といった建物の外部空間において水の気化熱を利用してすだれ状部材３０Ｃを冷却して気温の低下を図るとともに、前記バルコニー１０に吊り下げ部材４１が設けられているので、吊り下げ部材４１にバルコニー１０に前記すだれ状部材３０Ｃが取り付けられたすだれ状部材の取り付け構造を提供することができる。
【００４０】
また、前記線状材４３の上部が着脱可能に取り付けられているので、冬季、日射を取得したい時など必要に応じて前記すだれ状部材３０Ｃを取り外すことができる。
【００４１】
また、レール５０に、前記吊り下げ部材４１が固定状態を解除可能に取り付けられているため、固定状態を解除して前記吊り下げ部材４１をレール５０に沿って移動できる。
（変形例）
次に、図１０を参照して、変形例について以下説明する。
【００４２】
上記実施の形態においては、棒状部材３０ａ〜３０ｃが、略平面に沿って並んでいる例について、図示したが、これに限られない。棒状部材の配置に奥行をもたせてもよい。例えば、図１０に示すように、ジグザグに複数の棒状部材３０ｄを並べるようにしてすだれ状部材３０Ｄを吊り下げ部材４２に取り付けて、この吊り下げ部材４２をレール５１に取り付けてもよい。また、千鳥足状に複数の棒状部材３０ｄを並べるようにしてすだれ状部材３０Ｄを吊り下げ部材４２に取り付けてもよい。
また、上記実施の形態においては、バルコニー１０上の屋根１１にすだれ状部材３０Ａ〜３０Ｃが取り付けられたすだれ状部材の取り付け構造について説明したが、これに限られない。例えば、建物１００の屋根の軒先をバルコニー１０の先端まで延設し、バルコニー１０上の屋根の軒天にすだれ状部材３０Ａ〜３０Ｄを取り付けてもよい。
また、上記実施の形態においては、多孔質セラミック等の保水可能な多孔質材のみを用いた筒体について説明したが、これに限られない。多孔質材より硬い筒型の基材の表面に多孔質材を設けた棒状部材を採用してもよい。
また、図９においては、吊り下げ部材４１に線状材を介して挿通部材６０ｃを取り付けた例について説明したが、これに限られない。吊り下げ部材４１のカナビラ４１ａ下部の内周に挿通部材６０ｃの下部が接するように挿通部材６０ｃを配置して、吊り下げ部材４１に挿通部材６０ｃを直接取り付けてもよい。
なお、変形例においては、上記実施の形態で説明した部材についての説明を省略する。
【符号の説明】
【００４３】
１０  バルコニー
１１  屋根
２０  テラス
２１  屋根
３０Ａ〜３０Ｃ  すだれ状部材
３０ａ〜３０ｄ  棒状部材
３１  筒体
４０，４１  吊り下げ部材
４１ａ  カナビラ
４１ｂ  吊り金具
４３  線状材
５０  レール
６０ａ〜６０ｃ  挿通部材
６１  止め具
１００  建物
【図１】
0005722812.tif 000002
【図２】
0005722812.tif 000003
【図３】
0005722812.tif 000004
【図４】
0005722812.tif 000005
【図５】
0005722812.tif 000006
【図６】
0005722812.tif 000007
【図７】
0005722812.tif 000008
【図８】
0005722812.tif 000009
【図９】
0005722812.tif 000010
【図１０】
0005722812.tif 000011